(57)【特許請求の範囲】
【請求項１】
下部基板と、
下部基板の上方に配設された上部基板と、
チャンネルを複数画定するための複数の隔壁であって、
各チャンネルは、互いに平行であり、第一端部、対向する第二端部、及び軸部が設けられるとともに、
軸部の延伸方向と直交する方向の幅がＡｒである抵抗部、
及び軸部の延伸方向と直交する方向の幅が双方ともＡｃである第一容量部及び第二容量部が、Ａｃ＞Ａｒとなるように形成され、
第一容量部が第一端部に配置され、第二容量部が第二端部に配置され、抵抗部が第一容量部と第二容量部との間に配置されたものであり、
且つ前記複数のチャンネルは少なくとも第一チャンネルと第二チャンネルとを有し、第一チャンネルの第一容量部の幅Ａｃと第二チャンネルの第二容量部の幅Ａｃが異なっており、
下部基板と上部基板との間に配置される複数の隔壁と、
第一端部に近接し、チャンネルの軸部と直交して、複数のチャンネルの第一容量部上に延伸させて設けられた第一電極と、
第二端部に近接し、チャンネルの軸部と直交して、複数のチャンネルの第二容量部上に延伸させて設けられた第二電極と、
を備える平面蛍光ランプ。
【請求項２】
更に、チャンネル中に配置される蛍光材料を含む請求項１に記載の平面蛍光ランプ。
【請求項３】
更に、チャンネル中に配置される放電気体を含む請求項２に記載の平面蛍光ランプ。
【請求項４】
第一容量部及び第二容量部の幅は、それぞれＡｃであり、抵抗部の幅Ａｒに対する比率は１〜１００である請求項１に記載の平面蛍光ランプ。
【請求項５】
第一容量部及び第二容量部の各断面形状は、円形、楕円形、ループ形、三角形、四角形、及び、多角形からなる群から選択される請求項１に記載の平面蛍光ランプ。
【請求項６】
抵抗部の断面形状は、円形、楕円形、ループ形、三角形、四角形、及び、多角形からなる群から選択される請求項１に記載の平面蛍光ランプ。
【請求項７】
各チャンネルが、更に、抵抗部と第一容量部に連接される第一肩部を有する請求項１に記載の平面蛍光ランプ。
【請求項８】
第一肩部が、チャンネルの抵抗部の幅Ａｒをシャープに第一容量部の幅Ａｃに変化するよう形成されている請求項７に記載の平面蛍光ランプ。
【請求項９】
第一肩部が、チャンネルの抵抗部の幅Ａｒを段々と第一容量部の幅Ａｃに変化するよう形成されている請求項７に記載の平面蛍光ランプ。
【請求項１０】
チャンネルを複数有する分割手段であって、
前記複数のチャンネルは、第一端部、対向する第二端部、及び軸部を設けているとともに、互いに平行であり、
軸部の延伸方向と直交する方向の幅がＡｒの抵抗部、
及び軸部の延伸方向と直交する方向の幅がＡｃ１である第一容量部が、Ａｃ１＞Ａｒとなるように形成され、
第一端部又は第二端部のいずれかと、抵抗部との間に第一容量部が配置され、
且つ前記複数のチャンネルは少なくとも第一チャンネルと第二チャンネルとを有し、第一チャンネルの第一容量部の幅Ａｃ１と第二チャンネルの第一容量部の幅Ａｃ１が異なったものである分割手段と、
チャンネルの軸部と直交して、前記チャンネルの第一容量部上に延伸させて設けられた少なくとも一つの電極と、
を備える平面蛍光ランプ。
【請求項１１】
チャンネルは、更に、チャンネルの残りの一端に配置される第二容量部を有し、抵抗部は第一容量部と第二容量部との間に配置される請求項１０に記載の平面蛍光ランプ。
【請求項１２】
更に、チャンネルの残りの一端に配置される追加の電極を有し、チャンネルの軸部と直交して、チャンネルの第二容量部上に延伸させて設けられた請求項１１に記載の平面蛍光ランプ。
【請求項１３】
第二容量部の幅は、Ａｃ２であり、Ａｃ２＞Ａｒとなるように形成される請求項１１に記載の平面蛍光ランプ。
【請求項１４】
第二容量部の幅Ａｃ２は、抵抗部の幅Ａｒに対する比率で１〜１００である請求項１３に記載の平面蛍光ランプ。
【請求項１５】
第一容量部の幅Ａｃ１は、抵抗部の幅Ａｒに対する比率で１〜１００である請求項１４に記載の平面蛍光ランプ。
【請求項１６】
チャンネルは、更に、抵抗部及び第一容量部に連接される第一肩部を有する請求項１０に記載の平面蛍光ランプ。
【請求項１７】
第一肩部は、チャンネルの幅Ａｒがシャープに第一容量部の幅Ａｃ１に変化するよう形成されている請求項１５に記載の平面蛍光ランプ。
【請求項１８】
第一肩部は、チャンネルの幅Ａｒが段々と第一容量部の幅Ａｃ１に変化するよう形成されている請求項１６に記載の平面蛍光ランプ。
【請求項１９】
液晶ディスプレイパネルと、
液晶ディスプレイパネルに照らす光を発する少なくとも一つのランプと、を備える液晶ディスプレイシステムであって、
前記ランプは、請求項１０〜１３のいずれかに記載の平面蛍光ランプである液晶ディスプレイシステム。
【請求項２０】
少なくとも一つの第一チャンネル及び、少なくとも一つの第二チャンネルを有する分割手段であって、
第一チャンネルには、第一端部、対向する第二端部、及び軸部が設けられるとともに、
軸部の延伸方向と直交する方向の幅がＡｒａである抵抗部、
及び軸部の延伸方向と直交する方向の幅がＡｃａである第一容量部が、Ａｃａ＞Ａｒａとなるように形成され、
第一容量部は第一端部又は第二端部のいずれかと抵抗部との間に配置され、
第二チャンネルには、第一端部、対向する第二端部、及び軸部が設けられるとともに、
軸部の延伸方向と直交する方向の幅がＡｒｂである抵抗部、
及び軸部の延伸方向と直交する方向の幅がＡｃｂである第一容量部が、Ａｃｂ＞Ａｒｂとなるように形成され、
第一容量部は、第一端部又は第二端部のいずれかと抵抗部との間に配置され、
幅Ａｃｂは、幅Ａｃａと異なり、
第二チャンネルは、第一チャンネルと平行に配置されたものである分割手段と、
第一チャンネルと第二チャンネルの軸部と直交して、第一チャンネルと第二チャンネルの第一容量部上に延伸させて設けられた少なくとも一つの電極と、を備える平面蛍光ランプ。
【請求項２１】
幅Ａｃａは、幅Ａｒに対する比率で１〜１００である請求項２０に記載の平面蛍光ランプ。
【請求項２２】
幅Ａｃｂは、幅Ａｒに対する比率で１〜１００である請求項２１に記載の平面蛍光ランプ。
【発明の詳細な説明】
【技術分野】
【０００１】
本発明は光源に関するものであって、特に、液晶ディスプレイシステム中に応用される平面蛍光ランプに関するものである。
【背景技術】
【０００２】
平面蛍光ランプは様々に応用されており、液晶ディスプレイパネル（ＬＣＤ）のバックライト等に用いられている。図９で示されるように、従来の平面蛍光ランプ９００は、スペーサと（図示しない）、第一蛍光層９５２をコーティングした前ガラス板９４２と、第二蛍光層９５４をコーティングした後ガラス板９４４によりチャンネル（溝、通路等）９３０を形成するものである。平面蛍光ランプ９００は、四個の電極９１２、９１３、９１４、９１５を有し、電極９１２と９１４は前ガラス板９４２の両端の上方に配置され、電極９１３と９１５は後ガラス板９４４の両端の下方に配置される。作動時、平面蛍光ランプ９００は、電極９１２〜９１５に加えられる高電圧で駆動されることにより、前ガラス板９４２と後ガラス板９４４から放電現象が生じ、蛍光層９５２、９５４及び、チャンネル９３０を励磁して光を発する。
【０００３】
図８は、公知の平面蛍光ランプの等価回路８００を示す図である。この平面蛍光ランプにおいて、ガラス板は電極に接触し、等価キャパシタンスＣ＝εＡ／ｄを有するキャパシタ８１２及び、８１４となる。εはガラス板の誘電係数、ｄはガラス板の厚さで、Ａは蛍光チャンネル（管）８２０と電極との接触面積を示す。平面蛍光ランプの電源は、インバータ８４０により提供される。ランプチャンネル８２０のインピーダンスＸｃとキャパシタンスＣとの関係はＸｃ＝１／（ｊωＣ）で、ｊは虚数、ωはランプチャンネル８２０を通過する電流周波数である。よって、等価キャパシタンスＣが低下すると、インピーダンスＸｃが増加する。
【０００４】
従来技術としては、チャンネル（ランプ管）を細くして、チャンネル（ランプ管）の発光効率を高める方法が知られている。図１０で示されるように、平面蛍光ランプ１０００は通常、複数の細く均一なチャンネル１０２０を有し、互いに平行となるよう配置されることにより、光強度と品質が改善されることが知られている。幅がＡｃである各チャンネル１０２０は、幅がＡｅである電極１０１２、１０１４と接するものである。
【０００５】
従来より知られている、幅が細く均一なチャンネルは、電極との接触面積が小さく、等価キャパシタンスが小さいものとなる。等価キャパシタンスが減少すると、チャンネルのインピーダンスが増加し、チャンネルの操作電圧が増加すると共に、チャンネル電流が減少する。これにより、オゾンとピンホールが生成し、光量不足と発光効率低下の問題が生じる。
【０００６】
【特許文献１】韓国特許出願公開第１０−２００３−００９６１９３号明細書
【発明の開示】
【発明が解決しようとする課題】
【０００７】
本発明は、上述の問題を解決する平面蛍光ランプを提供することを目的とする。
【課題を解決するための手段】
【０００８】
上述の目的を達成するため、本発明の平面蛍光ランプは、下部基板と、下部基板と距離を隔てた上方に配置される上部基板と、下部基板と上部基板との間に配置され、複数のチャンネルを画定する複数の隔壁と、を備える。チャンネルは、互いにほぼ平行に配置される。各チャンネルには、第一端部、対向する第二端部、及び軸部が設けられるとともに、第一端部に第一容量部、第二端部に第二容量部が配置され、第一容量部と第二容量部との間に抵抗部が配置される。
【０００９】
抵抗部の幅は、Ａｒであり、第一容量部及び第二容量部の幅は、双方ともＡｃであり、Ａｃ＞Ａｒとなるように形成される。幅Ａｃは、Ａｒに対する比率で１〜１００であることが好ましい。第一容量部及び第二容量部の各断面形状は、円形、楕円形、ループ形（閉ループ：ｃｌｏｓｅｄ  ｌｏｏｐ）、三角形、四角形、多角形からなる群から選択されることが好ましい。抵抗部の断面形状は、円形、楕円形、ループ形、三角形、四角形、多角形からなる群から選択されることが好ましい。
【００１０】
各チャンネルは、更に、抵抗部及び第一容量部に連接する第一肩部を有する。第一肩部は、チャンネルの抵抗部の幅Ａｒが、シャープに第一容量部の幅Ａｃに変化するよう形成されることが好ましい。もしくは、第一肩部は、チャンネルの抵抗部の幅Ａｒが、段々と第一容量部の幅Ａｃに変化するよう形成されることが好ましい。ここで、「シャープに」とは、一時に急な傾斜で、幅Ａｒを異なる幅Ａｃに変化させるよう、第一肩部の形状が形成されていることをいい、例えば、第一肩部の形状が直角で、Ｔ字型となっている場合をいう。また、「段々と」とは、幅Ａｒが異なる幅Ａｃとなる第一肩部の形状が、急な傾斜ではなく、なだらかに連続的に変化するよう形成されていることをいう。
【００１１】
各チャンネルは、更に、抵抗部及び第二容量部に連接する第二肩部を有する。第二肩部は、チャンネルの抵抗部の幅Ａｒが、シャープに第二容量部の幅Ａｃに変化するよう形成されているか、チャンネルの抵抗部の幅Ａｒが、段々と第二容量部の幅Ａｃに変化するよう形成されているることが好ましい。
【００１２】
平面蛍光ランプは、更に、第一端部に近接する第一電極と、第二端部に近接する第二端部とを有する。第一電極及び第二電極は、チャンネルの軸部とほぼ直交して、チャンネルの第一容量部及び第二容量部上に延伸させて設けられる。
【００１３】
平面蛍光ランプは、更に、チャンネル中に配置される蛍光材料、及び／又は放電気体を有することが好ましい。
【００１４】
本発明は、平面蛍光ランプに関する。本発明の平面蛍光ランプは、少なくとも一つのチャンネルを有する分割手段を備える。各チャンネルは、第一端部、対向する第二端部、及び軸部からなる。上部基板、下部基板、及び分割手段は一体成形で形成することができる。チャンネルは、第一端部又は第二端部のいずれかと、抵抗部との間に第一容量部が配置されたものである。また、チャンネルは、第一端部に配置される第一容量部と、第二端部に配置される第二容量部と、第一容量部及び第二容量部との間に配置される抵抗部とを有するものでも良い。抵抗部の幅Ａｒと第一容量部の幅Ａｃ１は、Ａｃ１＞Ａｒとなるように形成される。第二容量部の幅Ａｃ２は、Ａｃ２＞Ａｒとなるように形成されることが好ましい。Ａｃ１又はＡｃ２は、Ａｒに対する比率で１〜１００であることが好ましい。
【００１５】
各チャンネルは、更に、抵抗部及び第一容量部に連接する第一肩部を有することが好ましい。第一肩部は、チャンネルの抵抗部の幅Ａｒが、シャープに第一容量部の幅Ａｃに変化するよう形成されていることが好ましく、段々と第一容量部の幅Ａｃに変化するよう形成されていてもよい。
【００１６】
平面蛍光ランプは更に、第一端部に近接する電極を少なくとも一つ有し、電極は、チャンネルの軸部にほぼ直交して、このチャンネルの第一容量部上に延伸させて設けられる。平面蛍光ランプは更に、第二端部に近接するもう一つの電極を有しても良く、もう一つの電極は、チャンネルの軸部にほぼ直交して、チャンネルの第二容量部上に延伸させて設けられる。
【００１７】
本発明は、液晶ディスプレイパネル（ＬＣＤ）システムに用いることができる。本発明の液晶ディスプレイシステムは、液晶ディスプレイパネルと、液晶ディスプレイパネルに照明を提供する少なくとも一つのランプを備える。平面蛍光ランプの、各チャンネルは、第一端部と、対向する第二端部、及び軸部からなる。上部基板、下部基板、及び分割手段は、一体成形で形成することができる。チャンネルは、第一端部に近接する第一容量部、第二端部に近接する第二容量部、第一容量部と第二容量部の間に位置する抵抗部、を有する。抵抗部は幅Ａｒを有し、第一容量部は幅Ａｃ１、第二容量部は幅Ａｃ２を有し、Ａｃ１＞Ａｒ、Ａｃ２＞Ａｒとなるように形成される。
【００１８】
平面蛍光ランプは、更に、第一端部に近接する電極を有し、チャンネルの軸部と直交して、チャンネルの第一容量部上に延伸させて設けられる。平面蛍光ランプ管は、更に、第二端部に近接するもう一つの電極を有し、チャンネルの軸部にほぼ直交して、チャンネルの第二容量部上に延伸させて設けられる。
【００１９】
本発明は、液晶ディスプレイパネル（ＬＣＤ）システムの発光効率を改善する方法に関する。本システムは、液晶ディスプレイパネルと、液晶ディスプレイパネルに照明を提供する少なくとも一つのランプと、を備える。このランプは、平面蛍光ランプであり、少なくとも一つのチャンネルを有する分割手段を有する。各チャンネルは、第一端部、対向する第二端部、及び軸部が設けられ、第一端部に配置され、幅Ａｃ１を有する第一容量部と、第二端部に配置される第二容量部と、第一容量部と第二容量部との間に配置され、幅Ａｒを有する抵抗部と、第一端部に近接し、チャンネルの軸部にほぼ直交して、チャンネルの第一容量部上に延伸させて設けられる少なくとも一つの電極と、を有する。平面蛍光ランプは、更に、第二端部に近接するもう一つの電極を有しても良く、もう一つの電極は、チャンネルの軸部に直交して、チャンネルの第二容量部上に延伸させて設けることが好ましい。本発明は、幅Ａｃ１の、Ａｒに対する比率を増加させることにより、電極と第一容量部との接触面積を増加させるものである。Ａｃ１は、Ａｒに対する比率で１〜１００であることが好ましい。電極と第一容量部間の接触面積が増加すると、液晶ディスプレイシステムの等価キャパシタンスが増加するので、液晶ディスプレイシステムのインピーダンスを減少させ、発光効率を向上することができる。
【００２０】
また、本発明は平面蛍光ランプに関する。本発明の平面蛍光ランプは、少なくとも一つの第一チャンネル及び第二チャンネルを有する分割手段を備える。本発明において、上部基板、下部基板、隔壁は、一体成形で形成しても良い。第一チャンネルは第一端部、対向する第二端部、及び軸部からなり、幅Ａｒａを有する抵抗部と、幅Ａｃａを有する第一容量部が、Ａｃａ＞Ａｒａとなるように形成され、第一容量部は第一端部又は第二端部のいずれかと抵抗部との間に配置される。また、第一容量部は、第一端部に配置されて、抵抗部が第一端部と第二端部との間に配置されるものであっても良い。Ａｃａは、Ａｒに対する比率で１〜１００であることが好ましい。
【００２１】
第二チャンネルは、第一端部、対向する第二端部、及び軸部からなり、幅がＡｒｂの抵抗部と、幅がＡｃｂの第一容量部とが、Ａｃｂ＞Ａｒｂとなるように形成され、第一容量部は第一端部又は第二端部のいずれかと抵抗部との間に配置される。第一容量部は、第一端部に配置され、抵抗部が第一端部と第二端部との間に配置されるものであっても良い。第二チャンネルは第一チャンネルに対し、ほぼ平行に配置される。Ａｃｂは、Ａｒに対する比率で１〜１００であることが好ましい。Ａｃａは、Ａｃｂと同じであっても、異なっていても良い。
【００２２】
平面蛍光ランプは、更に、第一チャンネル及び第二チャンネルの軸部にほぼ直交して、チャンネルの第一容量部上に延伸させて設けられた電極を少なくとも一つ有する。
【発明の効果】
【００２３】
本発明により、従来問題とされていた、等価キャパシタンスの減少により、チャンネルのインピーダンスが増加し、チャンネルの操作電圧が増加すると共に、チャンネル電流が減少して、オゾンとピンホールが生成し、光量不足と発光効率が低下することを、改善することができる。
【発明を実施するための最良の形態】
【００２４】
図１ａ〜図７ｃにおいて、本発明の実施例を説明する。本発明によれば、平面蛍光ランプに関し、チャンネル中の電極の接触面積を増加させて、効率を向上させることが実現できる。
【００２５】
図１ａ〜図１ｃは、本発明の実施例による平面蛍光ランプ１００を示す図である。平面蛍光ランプ１００は、下部基板１５０と、下部基板１５０と間隔を隔てた上方に位置する上部基板１６０と、下部基板１５０と上部基板１６０間に配置され、複数のチャンネルを画定する複数の隔壁１３０と、を備え、上部基板１６０、隔壁１３０、及び下部基板１５０は、図のように一体成形しても、別個に設けて相互に接合してもよい。図１ａに示す実施例中では、六個のチャンネル１０１が画定される。六個のチャンネル１０１は、平行に配置される。少なくとも、一つのチャンネルが、本発明の技術を応用したものであることが好ましい。隣接する任意の二個のチャンネル１０１は、隔壁１３０により隔てられる。各チャンネル１０１は、第一端部１０４、対向する第二端部１０６、及び軸部１０３を有し、第一端部１０４に配置される第一容量部１１４、第二端部１０６に配置される第二容量部１１６、第一容量部１１４と第二容量部１１６との間に配置される抵抗部１０８を有する。尚、軸部は、第一端部と第二端部との間に設けられるものである。図１ａ及び図１ｂで示されるように、抵抗部１０８は、幅Ａｒを有し、第一容量部１１４と第二容量部１１６は幅Ａｃを有し、ＡｃはＡｒより大きい。実施例中、Ａｃは、Ａｒに対する比率で1〜100である。もう一つの実施例中、チャンネル１０１の第一容量部１１４と第二容量部１１６とは、それぞれ幅Ａｃ１とＡｃ２とを有する。第一容量部１１４の幅Ａｃ１と第二容量部１１６の幅Ａｃ２とは、同一でもよく、異なってもよい。
【００２６】
図１ｂと図１ｃの実施例中、第一容量部１１４及び第二容量部１１６の各断面形状は、四角形であり、抵抗部１０８の断面形状も四角形であり、Ａｒ＜Ａｃとなるように形成される。チャンネル１０１は、第一容量部１１４及び第二容量部１１６の各断面形状を、任意の形状とすることができ、例えば、円形、楕円形、ループ形、三角形、四角形、多角形とすることができる。抵抗部１０８の断面形状は、円形、楕円形、ループ形、三角形、四角形、多角形とすることができる。
【００２７】
図１ａで示されるように、各チャンネル１０１は、更に、抵抗部１０８及び第一容量部１１４に連接される第一肩部１１８と、抵抗部１０８及び第二容量部１１６に連接される第二肩部１２０とを有する。図１ａで示されるように、第一肩部１１８は、チャンネル１０１の抵抗部１０８の幅Ａｒが、第一容量部１１４の幅Ａｃに、シャープに変化するよう形成されている。第二肩部１２０は、チャンネル１０１の抵抗部１０８の幅Ａｒから第二容量部１１６の幅Ａｃにシャープに変化するよう形成されている。第一肩部１１８は、チャンネル１０１の抵抗部１０８の幅Ａｒから第一容量部１１４の幅Ａｃに段々と変化するよう形成しても良い。第二肩部１２０は、チャンネル１０１の抵抗部１０８の幅Ａｒから第二容量部１１６の幅Ａｃに段々と変化するよう形成しても良い。
【００２８】
各チャンネル１０１中には、蛍光材料及び放電気体を充填することができる。
【００２９】
図１ａで示されるように、平面蛍光ランプ１００は、軸部１０３にほぼ直行しており、チャンネル１０１の第一端部に近接する第一電極１２４を有する。平面蛍光ランプ１００は、軸部１０３にほぼ直行しており、チャンネル１０１の第二端部に近接する第二電極１２６を有する。第一電極１２４及び第二電極１２６は、第一容量部１１４及び第二容量部１１６上に延伸させて設けられる。第一電極１２４及び第二電極１２６は、幅Ａｅを有する。第一電極１２４及び第二電極１２６と、チャンネル１０１との接触面積σは、式σ=(Ａｅ×Ａｃ)で定められる。接触面積σが大きくなると、チャンネル１０１のインピーダンスは、小さくなる。
【００３０】
図２〜図４は、本発明の実施例における平面蛍光ランプの部分構造を示す図である。図２の実施例中、チャンネル２０１は、抵抗部２０８と、容量部２１４と、抵抗部２０８及び容量部２１４に連接される肩部２１８と、を有する。抵抗部２０８と容量部２１４とは、それぞれ、幅Ａｒと幅Ａｃとを有する。図２で示されるように、肩部２１８は、チャンネル２０１の抵抗部２０８の幅Ａｒが、容量部２１４の幅Ａｃにシャープに変化するよう形成されている。図３及び図４は、平面蛍光ランプのもう二種の実施例を示し、チャンネル３０１（４０１）は、肩部３１８（４１８）及びチャンネル３０１（４０１）に連接する抵抗部３０８（４０８）と、容量部３１４（４１４）と、からなる。肩部３１８（４１８）は、チャンネル３０１（４０１）の抵抗部３０８（４０８）の幅Ａｒが、段々と容量部３１４（４１４）の幅Ａｃに変化するように形成されている。
【００３１】
図５ａと図５ｂは、本発明のもう一つの実施例の平面蛍光ランプ５００を示す図である。本実施例中、平面蛍光ランプ５００は、抵抗部５０８と容量部５１４とを有するチャンネル５０１からなる。抵抗部５０８及び容量部５１４は、半楕円形の断面を有する。容量部５１４の幅Ａｃ、及び抵抗部５０８の幅Ａｒは、半楕円形容量部５１４及び抵抗部５０８の弧の長さと対応し、Ａｒ＜Ａｃとなるよう形成される。本実施例中、電極５２４は、容量部５１４上に延伸させて設けられ、半楕円形の断面を有する。
【００３２】
図６ａ〜図６ｃは、本発明の三種の異なる実施例を示す図である。図６ａで示される実施例中、平面蛍光ランプは、一つの電極６１６を有し、チャンネル６１１の容量部６１４上に延伸させて設けられる。図６ｂで示されるもう一つの実施例中、平面蛍光ランプは、一対の電極６２６及び６２８を有し、チャンネル６２１の容量部６２４上側と下側とに延伸させて設けられる。図６ｃで示される変化例中、平面蛍光ランプは、六個の電極６３６を有し、チャンネル６３１の容量部６３４の上に設けられる。図６ｃ中の平面蛍光ランプの各チャンネルの光量は、それぞれ調整することができる。本発明は、電極がその他の数量となる場合にも応用することができる。
【００３３】
図７ａ〜図７ｃは、本発明のもう一つの実施例の平面蛍光ランプ７００を示す図である。本実施例中、三つのチャンネル７０１ａ、７０１ｂ、７０１ｃは、平面蛍光ランプ７００中に、互いに平行となるよう配置される。ｉ＝ａ、ｂ、ｃである場合、各チャンネル７０１ｉは、チャンネル７０１ｉの第一端部に位置する第一容量部７１４ｉと、チャンネル７０１ｉの第二端部に位置する第二容量部７１６ｉとを有し、抵抗部７０８ｉは、第一容量部７１４ｉと第二容量部７１６ｉとの間に配置され、チャンネル７０１ａ、７０１ｂ、７０１ｃの抵抗部７０８ａ、７０８ｂ、７０８ｃは、図７ａ、図７ｂで示されるように、幅Ａｒａ、Ａｒｂ、Ａｒｃを有する。幅Ａｒａ、Ａｒｂ、Ａｒｃは、同じであっても異なっていても良い。図７ａ〜図７ｃの実施例中、Ａｒａ、Ａｒｂ、Ａｒｃは等しい幅であり、Ａｒａ＝Ａｒｂ＝Ａｒｃである。第一容量部７１４ｉと第二容量部７１６ｉは幅Ａｃｉを有し、Ａｃａ＞Ａｃｂ＞Ａｃｃである。幅Ａｃａ、Ａｃｂ、Ａｃｃは、幅Ａｒａ、Ａｒｂ、Ａｒｃより大きい。本実施例中、三対のチャンネル７０１ｉと相対電極７２４、７２６(幅Ａｅ)との接触面積は、それぞれ異なるものとなる。例えば、チャンネル７０１ｉと電極７２６（７２４）との接触面積は、σｉ＝（Ａｃｉ×Ａｅ）と定義され、ｉ＝ａ、ｂ、ｃである。よって、チャンネル７０１ｉと電極７２６（７２４）との接触面積σａは、チャンネル７０１ｂと電極７２６（７２４）との接触面積σｂよりも大きい。チャンネル７０１ｂと電極７２６（７２４）との接触面積σｂは、チャンネル７０１ｃと電極７２６（７２４）との接触面積σｃより大きく、即ちσａ＞σｂ＞σｃである。
【００３４】
図７ａ〜図７ｃで示される実施例中、平面蛍光ランプ７００におけるチャンネル７０１ａの中央部位から発する光は、チャンネル７０１ｃの側辺部位から発する光よりも明るい。本発明は、その他の形式のチャンネルにも応用することができる。例えば、一対のチャンネル７０１ｃは、平面蛍光ランプ７００の中央領域に形成することができ、一対のチャンネル７０１ａは、平面蛍光ランプ７００の両側領域に形成することができる。この場合、平面蛍光ランプ７００の中央領域から発する光は、側辺領域から発する光よりも暗いものとなる。
【００３５】
本発明の蛍光ランプはフラットディスプレイパネルに、幅広く応用することができる。例えば、平面蛍光ランプは、バックライトモジュールとなり、液晶ディスプレイに照明を提供することができる。電極とチャンネル容量部の接触面積が増加すると、液晶ディスプレイシステムの等価キャパシタンスも増加する。これにより、液晶ディスプレイシステムのインピーダンスを減少させ、発光効率を向上させることができる。
【００３６】
本発明では、前述の通り好ましい実施例を開示したが、これらは決して本発明を限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とするものである。
【図面の簡単な説明】
【００３７】
【図１ａ】実施例における平面蛍光ランプの上視図。
【図１ｂ】実施例における平面蛍光ランプの上視図Ａ−Ａ’方向の断面図。
【図１ｃ】実施例における平面蛍光ランプの上視図Ｂ−Ｂ’方向の断面図。
【図２】実施例における平面蛍光ランプの部分図。
【図３】他の実施例における平面蛍光ランプの部分図。
【図４】変化例における平面蛍光ランプの部分図。
【図５ａ】実施例における抵抗部の断面図。
【図５ｂ】実施例における容量部の断面図。
【図６ａ】実施例における平面蛍光ランプの図。
【図６ｂ】他の実施例における平面蛍光ランプの図。
【図６ｃ】変化例における平面蛍光ランプの図。
【図７ａ】実施例における平面蛍光ランプの上視図。
【図７ｂ】実施例における平面蛍光ランプの上視図Ａ−Ａ’方向の断面図。
【図７ｃ】実施例における平面蛍光ランプの上視図Ｂ−Ｂ’方向の断面図。
【図８】平面蛍光ランプの等価回路の図。
【図９】公知の平面蛍光ランプの側面図。
【図１０ａ】公知の平面蛍光ランプの上視図。
【図１０ｂ】公知の平面蛍光ランプの上視図Ａ−Ａ’方向の断面図。
【図１０ｃ】公知の平面蛍光ランプの上視図Ｂ−Ｂ’方向の断面図。
【符号の説明】
【００３８】
１００  平面蛍光ランプ
１０１  チャンネル
１０３  軸部
１０４  第一端部
１０６  第二端部
１０８  抵抗部
１１４  第一容量部
１１６  第二容量部
１２０  肩部
１２４  第一電極
１２６  第二電極
１３０  隔壁
１５０  下部基板
１６０  上部基板
２０１、３０１、４０１  チャンネル
２０８、３０８、４０８  抵抗部
２１４、３１４、４１４  容量部
２１８、３１８、４１８  肩部
５００  平面蛍光ランプ
５０１  チャンネル
５０８  抵抗部
５１４  容量部
５２４  電極
６１１  チャンネル
６１４  容量部
６１６  電極
６２１  チャンネル
６２４  容量部
６２６、６２８  電極
６３１  チャンネル
６３４  容量部
６３６  電極
７００  平面蛍光ランプ
７０１ａ、７０１ｂ、７０１ｃ  チャンネル
７０８ａ、７０８ｂ、７０８ｃ  抵抗部
７１４ａ、７１４ｂ、７１４ｃ  第一容量部
７１６ａ、７１６ｂ、７１６ｃ  第二容量部
７２４、７２６  電極
８００  等価回路
８１２、８１４  キャパシタ
８２０  チャンネル
８４０  インバータ
９００  平面蛍光ランプ
９１２、９１３、９１４、９１５  電極
９３０  チャンネル
９４２  前ガラス板
９４４  後ガラス板
９５２  蛍光層
９５４  蛍光層
１０００  平面蛍光ランプ
１０１２、１０１４  電極
１０２０  チャンネル
【図１ａ】
0004461133.tif 000002
【図１ｂ】
0004461133.tif 000003
【図１ｃ】
0004461133.tif 000004
【図２】
0004461133.tif 000005
【図３】
0004461133.tif 000006
【図４】
0004461133.tif 000007
【図５ａ】
0004461133.tif 000008
【図５ｂ】
0004461133.tif 000009
【図６ａ】
0004461133.tif 000010
【図６ｂ】
0004461133.tif 000011
【図６ｃ】
0004461133.tif 000012
【図７ａ】
0004461133.tif 000013
【図７ｂ】
0004461133.tif 000014
【図７ｃ】
0004461133.tif 000015
【図８】
0004461133.tif 000016
【図９】
0004461133.tif 000017
【図１０ａ】
0004461133.tif 000018
【図１０ｂ】
0004461133.tif 000019
【図１０ｃ】
0004461133.tif 000020